(57)【要約】【課題】  運搬及び収納が容易なように折り畳んだ状態で嵩張らず、組み立てを容易にする。【解決手段】  折り畳み可能な平板状の基板２を折り畳んだ状態で、基板２の互いに接触している面２ａ、２ｂ間に、放射器４を配置し、折り畳まれた状態から開かれた状態に変化するのに伴って、基板から片体１０ａ、１０ｂが立ち上がって、放射器４を支持する。【選択図】        図１
2008177891.tif 000002
【特許請求の範囲】
【請求項１】
平板状の基板と、
アンテナ素子と、
このアンテナ素子に一端が結合され、前記基板に他端が結合され、前記アンテナ素子が前記基板の一面に接触している状態において前記一端と他端とが、前記基板上に位置し、前記アンテナ素子の少なくとも一部が前記基板の一面から浮いた状態において前記他端の位置は不変で、前記一端が前記基板から立ち上がって前記他端側に近い位置にある片体とを、
具備するアンテナ装置。
【請求項２】
折り畳み可能な平板状の基板と、
アンテナ素子と、
前記基板が折り畳まれた状態において前記基板の互いに接触している面間に前記アンテナ素子が位置し、前記基板が折り畳まれた状態から開かれた状態に変化するのに伴って、前記基板から立ち上がって前記アンテナ素子の少なくとも一部が前記基板から浮いた状態になるように、前記アンテナ素子に一端が結合され、前記基板に他端が結合された片体とを、
具備するアンテナ装置。
【請求項３】
請求項２記載のアンテナ装置において、前記アンテナ素子を放射器とし、前記基板の折り畳まれた状態で互いに接触する面に反射器を設けたアンテナ装置。
【請求項４】
請求項３記載のアンテナ装置において、前記基板を開いた状態において前記反射器よりも前記基板の開放側に配置された導波器と、
この導波器を前記反射器に結合している結合体とを有するアンテナ装置。
【請求項５】
請求項３記載のアンテナ装置において、前記基板を開いた状態において前記反射器よりも前記基板の開放側に配置された導波器と、
この導波器に一端が結合され、前記基板に他端が結合され、前記基板を開いた状態において前記導波器を保持する保持体とを、
具備するアンテナ装置。
【請求項６】
請求項５記載のアンテナ装置において、複数の前記導波器を、前記基板が開かれた状態において、前記反射器と交差するように配置したアンテナ装置。
【請求項７】
請求項５または６記載のアンテナ装置において、前記放射器及び前記導波器は、前記基板が折り畳まれた状態において、前記基板内に位置するアンテナ装置。
【発明の詳細な説明】
【技術分野】
【０００１】
本発明は、アンテナ装置に関し、特に折り畳み可能なアンテナ装置に関する。
【背景技術】
【０００２】
例えば折り畳み可能なアンテナ装置としては、例えば特許文献１に開示されているものがある。このアンテナ装置は、それぞれ直方体状に形成した上部キャビネットと下部キャビネットとをヒンジ機構によって互いに連結しており、ヒンジの回りに上部キャビネットを回転させることによって、キャビネットを折り畳んだり、開いたりすることができる。上部キャビネット内に受信特性と指向性の異なる複数の扁平なアンテナが取り付けられ、これらアンテナで受信された信号は下部キャビネット内に収容された無線モジュールに接続されている。
【０００３】
【特許文献１】特開２００５−１０９８２１号公報
【発明の開示】
【発明が解決しようとする課題】
【０００４】
しかし、特許文献１に開示されたアンテナ装置では、折り畳むために２つの直方体状のキャビネットを使用しなければならず、折り畳んだ状態で嵩張る。また、折り畳んだり、開いたりするために、ヒンジを使用しなければならず、コストが高くなる。
【０００５】
本発明は、嵩張らずに低コストの折り畳み可能なアンテナ装置を提供することを目的とする。
【課題を解決するための手段】
【０００６】
本発明の一態様のアンテナ装置は、平板状の基板と、アンテナ素子とを有している。基板は、完全に平板状なものとすることもできるし、折り畳み可能なものとすることもでき、紙または合成樹脂製の薄いものとすることが望ましい。アンテナ素子としては、線状または平板状の嵩張らないものが望ましく、八木形アンテナ、ダイポールアンテナ、ループアンテナ等の種々のものを使用することができる。このアンテナ素子に片体の一端が結合され、前記基板に他端が結合されている。前記アンテナ素子が前記基板の一面に接触している状態において片体の一端と他端とが、前記基板上に位置し、前記アンテナ素子の少なくとも一部が前記基板の一面から浮いた状態において、前記他端の位置は不変で、前記一端が前記基板から立ち上がって前記他端側に近い位置にある。アンテナ素子は、完全に基板から浮いて基板に全く接触しない状態にすることもできるし、一部が基板に接触している状態とすることもできる。片体は、その他端において折り曲げ可能に構成することが望ましい。
【０００７】
このように構成したアンテナ装置では、アンテナ素子を基板に接触させた状態で、例えば運搬や収納等を行う。アンテナ素子が基板に直接に接触しているので、キャビネット等が不要であり、このアンテナ装置は運搬時や収納時に嵩張らない。このアンテナ装置を使用する場合には、片体の一端が基板から立ち上がった状態にして、少なくともアンテナ素子の一部が基板の一面から浮いた状態にする。このようにアンテナ素子の一部を浮いた状態にするために、ヒンジ等を使用して無く、コストを低減することができる。
【０００８】
本発明の他の態様のアンテナ装置は、折り畳み可能な平板状の基板を有している。この基板としては、紙または合成樹脂製の薄いものを使用することが望ましい。アンテナ素子が設けられ、このアンテナ素子としては、線状または平板状の嵩張らないものが望ましく、例えばダイポールアンテナやループアンテナとすることができる。基板が折り畳まれた状態において、前記基板の互いに接触している面間に、前記アンテナ素子が位置している。前記基板が折り畳まれた状態から開かれた状態に変化するのに伴って、前記基板から立ち上がって前記アンテナ素子の少なくとも一部が前記基板から浮いた状態になるように、前記アンテナ素子に片体の一端が結合され、前記基板に片体の他端が結合されている。片体としては、その基板の結合部である他端において折り曲げ可能であることが望ましい。また、片体は、複数、例えば２つ設けることができる。その場合、２つの片体の一端は共にアンテナ素子に結合され、２つの他端は、基板の折り曲げられた状態で互いに接触する２つ面にそれぞれ結合され、２つの片体によってアンテナ素子をその両側から支持する。
【０００９】
このように構成されたアンテナ装置では、運搬時には、基板を折り畳み、その折り畳まれた基板間にアンテナ素子が配置されているので、嵩張らない。また、組み立ての際には、基板を折り畳んだ状態から開くと、片体のアンテナ素子との結合部である一端の位置が基板から離れる方向に自動的に移動し、アンテナ素子の少なくとも一部が基板から浮いた状態となり、組み立てが終了する。このように、単に基板を開くだけで組み立てが完了するので、組み立て作業が容易である。また、ヒンジも使用していないので、コストを低減することができる。
【００１０】
更に、前記アンテナ素子を放射器とし、前記基板の折り畳まれた状態で互いに接触する２つの面に反射器を設けることもできる。これら２つの面の全域を反射器とすることもできるし、一部のみを反射器とすることもできる。この場合、放射器及び反射器を平板状に構成する事が望ましい。
【００１１】
このように構成すると、八木形アンテナを構成することができ、指向性を持つ高利得アンテナを、運搬時に嵩張らず、かつ組み立て容易に低コストで実現することができる。
【００１２】
更に、前記基板を開いた状態において前記反射器よりも前記基板の開放側に導波器を配置することができる。この導波器は、前記反射器に結合体によって結合されている。複数の導波器を、前記反射器と一列に配置することもできる。その場合、複数の導波器同士を、それぞれ結合体によって結合し、放射器に最も近い導波器を放射器に結合する。
【００１３】
或いは、前記基板を開いた状態において前記反射器よりも前記基板の開放側に導波器を配置し、この導波器に保持体の一端を結合し、前記基板に保持体の他端を結合し、前記基板を開いた状態においてこの保持体によって前記導波器を保持する。この保持体も、基板が折り畳まれた状態では、基板に接触しており、基板が開かれるとき、導波器側にある一端が基板から立ち上がって、導波器を保持する。
【００１４】
更に、複数の前記導波器を、前記基板が開かれた状態において前記放射器に交差するように一列に配置することができる。この場合、各導波器は、前記基板に保持体によって結合されると共に、別の保持体によって放射器に結合することもできる。
【００１５】
これらのように構成すると、八木形アンテナは、反射器、放射器及び導波器を備えたものとなり、更に高利得の指向性アンテナを実現することができる。
【００１６】
前記放射器及び前記導波器は、前記基板が折り畳まれた状態において、前記基板内に位置するようにすることができる。このように構成すると、基板を折り畳んだ状態で、基板から反射器や導波器が突出せず、運搬時に反射器や導波器が破損することを防止できる。
【発明の効果】
【００１７】
以上のように、本発明によるアンテナ装置は、折り畳みが可能であるので、運搬時や収容時に嵩張らず、しかも低コストで折り畳みを可能にすることができる。
【発明を実施するための最良の形態】
【００１８】
本発明の第１の実施形態のアンテナ装置は、例えばＵＨＦ帯のテレビジョン放送信号を受信するためのもので、図１に示すように、基板２を有している。基板２は、平板状体、例えば紙製、具体的には厚紙製の長方形状のもので、それの長手方向の中央の折り曲げ線４に沿って２つに折り曲げられている。折り曲げられた状態で、基板２は、２つの折り畳み面２ａ、２ｂを構成している。この基板２は、図１に示すように２つの折り畳み面２ａ、２ｂが所定の角度をなす状態から、図２（ｂ）に示すように折り畳み面２ａ、２ｂが互いに接触する状態に、あるいはその逆に変更可能である。
【００１９】
この折り畳み面２ａ、２ｂに、図１に示すように、反射器６ａ、６ｂが形成されている。これら反射器６ａ、６ｂは、折り曲げ線４を挟んで、等距離に位置している。これら反射器６ａ、６ｂは所定幅で長さが折り曲げ線４にほぼ等しい金属テープを、折り畳み面６ａ、６ｂに貼り付けるか、蒸着することによって形成されている。
【００２０】
この基板２の折り畳み面２ａ、２ｂ側において、折り曲げ線４上に位置するように、アンテナ素子、例えば放射器８が配置されている。放射器８は、平板状体、例えば紙製、具体的には厚紙製の基体８ａを有している。この基体８ａは、折り曲げ線４に平行な垂直辺部と、この垂直辺部の両端からこの垂直辺部に垂直に折り曲げ線４側に向かう２つの水平辺部を有する概略コ字状に形成されている。この垂直辺部と水平辺部との接続部付近の折り曲げ線４側に面する部分が三角形状に折り曲げ線４側に突出している。この基体８ａの両面に金属テープを貼り付けるか金属を蒸着することによって、２つの放射器素子８ｂ、８ｃが形成されている。放射器素子８ｂ、８ｃは、基体８の垂直辺部の中央部を除いて全面に形成された同一形状のもので、折り曲げ線４に沿って配置されている。放射器素子８ｂ、８ｃの垂直辺部の中央付近にそれぞれ位置する部分が給電部とされている。
【００２１】
この放射器８は、その両側に配置された片体１０ａ、１０ｂに支持されている。片体１０ａ、１０ｂは、平板状体、例えば紙製、具体的には厚紙製の長方形状のもので、その一端が基体８ａの垂直辺部の中央付近に固定され、その結合部付近で折り曲げ可能とされ、他端は、折り畳み面２ａ、２ｂに結合され、その結合部付近で折り曲げ可能とされている。これら片体１０ａ、１０ｂによって、放射器８は、図１及び図２（ａ）に示すように、折り畳み面２ａ、２ｂが所定の角度をなして開かれた状態において、その位置を保持されている。
【００２２】
この保持状態を堅固にするために、図３に示すように基体８ａの水平脚部の先端に折り曲げ線４側に突出する突片１０ａ、１０ｂを形成し、折り曲げ線４上に、これに沿って、突片１０ａ、１０ｂが挿通可能なスリット１２ａ、１２ｂを形成し、これらスリット１２ａ、１２ｂに突片１０ａ、１０ｂを挿通する。
【００２３】
或いは、図４（ａ）に示すように、折り畳み面２ａ、２ｂの一方の裏面、例えば折り畳み面２ｂの裏面側における折り曲げ線４の両端付近に、係止用の長方形状の突片１４、１４を形成し、折り畳み面２ａ、２ｂの他方、例えば折り畳み面２ａの折り曲げ線４の両端付近の近傍に、係止孔１６、１６を形成し、同図（ｂ）に示すように突片１４、１４の先端を係止孔１６、１６に挿通して、折り畳み面２ａ、２ｂが所定角度以上に開くことを防止して、放射器８の位置が前後に移動することを防止して、放射器８の位置を保持することもできる。なお、図３、図４（ａ）、（ｂ）では、図が錯綜するので、片体１０ａ、１０ｂは図示を省略してある。
【００２４】
このように構成されたアンテナ装置では、図１または図２（ａ）に示すように折り畳み面２ａ、２ｂが開かれた状態において、折り畳み面２ａ、２ｂが接触するように、折り畳み面２ａ、２ｂを折り畳むと、片体１０ａ、１０ｂの折り畳み面２ａ、２ｂとの結合部が折り曲げ線４側に旋回し、これに伴い片体１０ａ、１０ｂの放射器８との結合部が折り曲げ線４とは反対側に直線的に移動し、図２（ｂ）に示すように放射器８が折り曲げ線４から離れる方向に移動して、折り畳み面２ａ、２ｂが互いに接触する状態となる。
【００２５】
この状態において、放射器８の一部が折り畳み面２ａ、２ｂから外部に突出しないように、基板２の長辺の長さ寸法は選択されている。このように折り畳れた状態では、このアンテナ装置の厚さ寸法は、基板２を折り畳んだ厚さよりも僅かに厚い厚さであるので、運搬や収納時に嵩張ることがない。しかも、折り畳むために、ヒンジ等は使用されておらず、低コストである。
【００２６】
この折り畳んだ状態から、折り畳み面２ａ、２ｂが所定角度をなすように、基板２を開くと、上述したのと逆に片体１０ａ、１０ｂの折り畳み面２ａ、２ｂとの結合部が、基板２が開かれたのと共に折り曲げ線４と反対側に旋回し、片体１０ａ、１０ｂの放射器８との結合部が折り曲げ線４側に直線的に移動し、自動的に図１及び図２（ａ）に示す状態になる。この状態において、図３または図４（ａ）、（ｂ）のような処理を行って、放射器４の位置を強固に固定する。従って、組み立て作業が非常に容易である。
【００２７】
このように組み立てた状態において、折り返し面２ａ、２ｂの下縁が水平面上に位置するように配置して、電波を受信する。或いは、折り返し面２ａ、２ｂの一方の面の外側の面が水平面に接触するように配置して、電波を受信する。このように組み立てたアンテナ装置は、屋内でテレビジョン放送を受信するための室内アンテナとして使用することもできるし、或いはキャンプ等に行った場合に屋外でテレビジョン放送を受信するためのアンテナ装置として使用することもできる。
【００２８】
なお、放射器素子８ｂ、８ｃの給電部への給電は、図５（ａ）、（ｂ）に示す給電装置１８によって行われている。給電装置１８は、絶縁体、例えば合成樹脂製の板状体２０を有している。板状体２０は、その一端部側に延長部２２を有している。延長部２２は、放射器８側に折り返し可能に形成されている。
【００２９】
板状体２０の一端部が放射器素子８ｂ、８ｃの給電部付近に位置させられ、放射器素子８ｂ、８ｃの給電部に接触するように接触部２４、２４が板状体２０を貫通して形成されている。これら給電部にバラン２６が接続され、バラン２６は、同軸ケーブル２８の芯線と外部導体とに接続されている。外部導体は、板状体２０上に設けた固定具３０によって固定されている。
【００３０】
延長部２２は、図５（ｂ）に示すように放射器８側に折り返し可能に形成され、その両側に側方に突出するように耳部３２、３２が形成されている。これら耳部３２、３２におけるバラン２６等が設けられている面と反対側の面に、係合爪３４、３４が設けられている。板状体２０の一端部の両側にも、耳部３２、３２に対応するように耳部３６、３６が形成され、これらには係合爪３４、３４が係合する係合孔３８、３８が形成されている。耳部３２、３２の形成位置よりも放射器８から離れる方向に沿って、係合爪３４、３４の形成面と同じ面には、内向きの爪４０、４０が形成されている。また板状体２０の耳部３６、３６よりもバラン２６側の両側縁には、爪４０、４０が係合する突起４２、４２が形成されている。従って、延長部２２を放射器８側に図５（ｂ）に示すように折り返すと、係合爪３４、３４が係合孔３８、３８に係合し、かつ爪４０、４０が突起４２、４２に係合し、板状体２０と延長部２２とで放射器８を挟み込んだ状態で、この給電装置１８が固定される。なお、図示していないが、接触部２４、２４、バラン２６、固定具３０等を覆うように合成樹脂製のケースによって覆われる。同軸ケーブル２８は、例えば基板２の折り曲げ線上に形成した孔を介して外部に導出される。
【００３１】
図６にこのアンテナ装置の利得特性を、図７に同ＶＳＷＲ特性を、図８に同Ｆ／Ｂ特性を、図９に同半値幅特性を、図１０に指向特性図を示す。図１０の指向特性図は４７０ＭＨｚで測定したものである。なお、これらは、図１に示すＨ１を２９８ｍｍ、Ｈ２を２８０ｍｍ、Ｈ３を５０ｍｍ、Ｈ４を５０ｍｍ、Ｈ５を１０ｍｍ、Ｈ６を１３５ｍｍ、Ｗ１を２１０ｍｍ、Ｗ２を３０ｍｍ、Ｗ３を１２０ｍｍ、Ｗ４を４０ｍｍ、Ｗ５を２０ｍｍとし、折り畳み面２ａ、２ｂのなす角度を９０度とした場合の特性である。
【００３２】
これら特性から、ＵＨＦ帯のテレビジョン放送の受信用に充分に使用できるアンテナ装置であることが明らかである。
【００３３】
本発明の第２の実施形態のアンテナ装置では、図１１及び図１２に示すように、基板２の折り畳み面２ａ、２ｂそれぞれの全面に、金属テープを貼着するか金属を蒸着して、折り畳み面２ａ、２ｂそれぞれの全面を反射器として構成している。更に、放射器８を挟んで折り曲げ線４と反対側に、複数、例えば２つの導波器４４が設けられている。第１の実施形態の構成要素と同等部分には同一符号を付して、その説明を省略する。
【００３４】
導波器４４、４４も、絶縁性の板状体、例えば紙、具体的には厚紙製の矩形体に、金属テープを貼着したり、金属蒸着したりして構成した板状のものである。これら導波器４４、４４は、放射器８を挟んで、放射器８からそれぞれ等距離の位置に、一列となるように配置されている。これら導波器４４、４４は、その長さ方向を折り返し線４の長さ方向に沿わせている。
【００３５】
これら導波器４４、４４は、保持体、例えば４つの帯状体４６によって折り畳み面２ａ、２ｂに結合されている。即ち、４つの帯状体４６は、片体１０ａ、１０ｂと同様に、それらの一端部が導波器４４、４４の両端部近傍にそれぞれ結合され、他端が折り畳み面２ａ、２ｂの外側の縁に結合されている。これら帯状体４６、４６は、例えば厚紙製で、導波器４４への結合部、折り畳み面２ａ、２ｂの縁への結合部それぞれにおいて折り曲げ可能である。
【００３６】
更に、これら帯状体４６と一直線状をなすように、帯状体４６と同様な４つの帯状体４８の一端が導波器４４に結合され、他端が放射器８の先端側に結合されている。
【００３７】
これら帯状体４６、４８によって、導波器４４、４４が保持され、同時に放射器８が移動するのを阻止している。帯状体４６、４８は、上述したようにそれぞれの端部で折り曲げ可能であるので、折り畳み面２ａ、２ｂが互いに接触するように基板２を折り畳むと、折り畳み面２ａ、２ｂの内部に導波器４４、４４と放射器８とが完全に収容される。また、この収容状態から折り畳み面２ａ、２ｂが所定角度をなすように開くと、自動的に図１１及び図１２に示す状態になる。
【００３８】
従って、折り畳んだ状態では、このアンテナ装置は嵩張らず、運搬や収納が容易に行えるし、組み立ても、折り畳み面２ａ、２ｂを開くという簡単な作業だけを行えばよい。しかも、導波器４４、４４を備えているので、各特性も、第１の実施形態に示したものよりも良好である。即ち、図１３にこのアンテナ装置の利得特性を、図１４に同ＶＳＷＲ特性を、図１５に同Ｆ／Ｂ特性を、図１６に同半値幅特性を、図１７に指向特性図を示す。図１７の指向特性図は４７０ＭＨｚで測定したものである。なお、これらは、図１１、図１２に示すｈ１を２９８ｍｍ、ｈ２を２５ｍｍ、ｈ３を１３０ｍｍ、ｈ４を２７５ｍｍ、ｈ５を１７６ｍｍ、ｗ１を２１０ｍｍ、ｗ２を８１ｍｍ、ｗ３を１０６ｍｍ、ｗ４を７０ｍｍ、ｗ５を１０ｍｍ、θを１５度、ｄ１を７０ｍｍ、ｄ２を７５ｍｍとし、折り畳み面２ａ、２ｂのなす角度を９０度とした場合の特性である。
【００３９】
これらの特性から明らかなように、導波器４４、４４を設けたことによって、利得特性、ＶＳＷＲ特性を、Ｆ／Ｂ特性、同ＨＰＡ特性がそれぞれ第１の実施形態のアンテナ装置よりも改善し、かつ指向性も狭指向性とすることができた。なお、放射器８への給電は、第１の実施の形態と同様に行われている。
【００４０】
第３の実施形態のアンテナ装置を図１８に示す。この実施形態のアンテナ装置は、１つの導波器４４ａを設けた以外、第１の実施形態と同様に構成されている。同等部分には、同一符号を付して、その説明を省略する。このアンテナ装置では、第２の実施形態の導波器４４と同様に構成された導波器４４ａが、結合体５０によって、放射器８の給電部の近傍に結合されている。結合体５０も、板状体、例えば紙、具体的には厚紙によって構成されている。
【００４１】
なお、各実施の形態では、折り畳み面２ａ、２ｂを開いた状態で、折り畳み面２ａ、２ｂがなす角度は、一定としたが、開いた状態で折り畳み面２ａ、２ｂがなす角度を変更させることによって、これらアンテナの特性を調整することができる。
【００４２】
第１の実施形態のアンテナ装置では、片体１０ａ、１０ｂは折り返し面２ａ、２ｂの途中に固定したが、第２の実施形態のアンテナ装置の保持体と同様に折り返し面２ａ、２ｂの縁に固定することもできる。また、第１の実施形態のアンテナ装置では、反射器６ａ、６ｂは折り返し面２ａ、２ｂの一部にのみ形成したが、第２の実施形態のアンテナ装置と同様に折り返し面の全域を反射器とすることもできる。また、第１の実施形態では、折り返し面２ａ、２ｂで基板２を折り返したが、例えば基板２を折り返し面２ａのみの大きさとして、片体１０ａのみを設けるようにすることもできる。但し、この場合には、運搬時や収容時には放射器８を作業員が折り返し面２ａに接触するように折り畳む必要があり、また、組み立ての際にも作業員が放射器８を折り返し面から起こす必要がある。
【００４３】
第２の実施形態のアンテナ装置では、反射器を折り返し面２ａ、２ｂの全面に形成したが、第１の実施形態のアンテナ装置と同様に、折り返し面２ａ、２ｂの一部にのみ反射器を設けることもできる。第２の実施形態のアンテナ装置では、帯状体４８の端部を放射器８に結合したが、片体１０ａ、１０ｂと同様に折り返し面２ａ、２ｂの中途に固定することもできる。また、帯状体４８を折り返し面２ａ、２ｂの縁に固定したが、折り返し面２ａ、２ｂの中途に固定することもできる。また、第２の実施形態のアンテナ装置では、導波器４４の数を２としたが、これに限ったものではなく、さらに多くの数の導波器を導波器４４、４４と同一列に設けることもできるし、導波器４４、４４よりも放射器８に近い位置または遠い位置に設けることもできる。
【００４４】
第３の実施形態のアンテナ装置では、導波器４４ａを放射器８に固定したが、折り返し面２ａ、２ｂに片体１０ａ、１０ｂと同様な固定具によって取り付けることもできる。
【００４５】
上記の各実施形態では、基板２、放射器の基体、導波器の基体には厚紙を使用したが、これに限ったものではなく、例えばフィルムや、薄いアクリル樹脂等を使用することもできる。片体１０ａ、１０ｂや、帯状体４６、４８も同様である。但し、基板２、片体１０ａ、１０ｂ、帯状体４６、４８は、折り曲げが可能であることが必要である。また、上記の各実施形態では、アンテナ装置は、ＵＨＦ帯のアンテナとしたが、これに限ったものではなく、他の周波数帯用のアンテナとすることもできる。
【図面の簡単な説明】
【００４６】
【図１】本発明の第１の実施形態のアンテナ装置の斜視図である。
【図２】図１のアンテナ装置の折り畳み状態及び組み立て状態を示す平面図である。
【図３】図１のアンテナ装置における放射器の固定状態の一例を示す斜視図である。
【図４】図１のアンテナ装置における放射器の固定の他の例での固定する過程を示す斜視図である。
【図５】図１のアンテナ装置の給電装置の平面図及び側面図である。
【図６】図１のアンテナ装置の利得特性図である。
【図７】図１のアンテナ装置のＶＳＷＲ特性図である。
【図８】図１のアンテナ装置のＦ／Ｂ特性図である。
【図９】図１のアンテナ装置の半値幅特性図である。
【図１０】図１のアンテナ装置の指向特性図である。
【図１１】本発明の第２の実施形態のアンテナ装置の斜視図である。
【図１２】図１１のアンテナ装置の平面図である。
【図１３】図１のアンテナ装置の利得特性図である。
【図１４】図１１のアンテナ装置のＶＳＷＲ特性図である。
【図１５】図１１のアンテナ装置のＦ／Ｂ特性図である。
【図１６】図１１のアンテナ装置の半値幅特性図である。
【図１７】図１１のアンテナ装置の指向特性図である。
【図１８】本発明の第３の実施形態のアンテナ装置の斜視図である。
【符号の説明】
【００４７】
２  基板
２ａ  ２ｂ  折り返し面
６ａ  ６ｂ  反射器
８  放射器
【図１】
2008177891.tif 000003
【図２】
2008177891.tif 000004
【図３】
2008177891.tif 000005
【図４】
2008177891.tif 000006
【図５】
2008177891.tif 000007
【図６】
2008177891.tif 000008
【図７】
2008177891.tif 000009
【図８】
2008177891.tif 000010
【図９】
2008177891.tif 000011
【図１０】
2008177891.tif 000012
【図１１】
2008177891.tif 000013
【図１２】
2008177891.tif 000014
【図１３】
2008177891.tif 000015
【図１４】
2008177891.tif 000016
【図１５】
2008177891.tif 000017
【図１６】
2008177891.tif 000018
【図１７】
2008177891.tif 000019
【図１８】
2008177891.tif 000020